(57)【要約】【課題】読み取りと画像処理とを一連の処理で行える画像処理装置を提供する。【解決手段】積層した原稿を搬送させて原稿の画像を読み取り、読み取って得られた原稿画像データに所定の画像処理を行う画像処理装置１０である。画像処理装置は、積層した原稿の先頭又は後尾に配され、原稿の画像処理内容を示す識別情報を付した処理シートと原稿を連続して読み取る原稿読取部１１と、読み取った処理シートから識別情報を抽出する情報抽出部２１と、抽出した識別情報を解析して画像処理内容を取得する処理内容取得部２２と、取得した画像処理内容に従って原稿画像データに所定の画像処理を行う処理実行部２３とを備える。【選択図】図１
2014017682.tif 000002
【特許請求の範囲】
【請求項１】
積層した原稿を搬送させて原稿の画像を読み取り、読み取って得られた原稿画像データに所定の画像処理を行う画像処理装置であって、
前記積層した原稿の先頭又は後尾に配され、該原稿の画像処理内容を示す識別情報を付した処理シートと前記原稿を連続して読み取る原稿読取部と、
読み取った前記処理シートから前記識別情報を抽出する情報抽出部と、
抽出した前記識別情報を解析して前記画像処理内容を取得する処理内容取得部と、
取得した前記画像処理内容に従って前記原稿画像データに前記所定の画像処理を行う処理実行部と
を備えることを特徴とする画像処理装置。
【請求項２】
請求項１に記載の画像処理装置であって、
前記原稿読取部は、前記原稿の先頭又は後尾に配された処理シートと前記原稿を、複数束連続して読み取ることを特徴とする画像処理装置。
【請求項３】
請求項１又は２に記載の画像処理装置であって、
前記所定の画像処理は、読み取って得られた前記原稿画像データを用紙に印刷する印刷処理とすることを特徴とする画像処理装置。
【請求項４】
請求項１から３のいずれか１項に記載の画像処理装置であって、
前記所定の画像処理は、読み取って得られた前記原稿画像データを送信する送信処理とすることを特徴とする画像処理装置。
【請求項５】
請求項１から４のいずれか１項に記載の画像処理装置であって、
前記所定の画像処理は、読み取って得られた前記原稿画像データを保存する保存処理とすることを特徴とする画像処理装置。
【発明の詳細な説明】
【技術分野】
【０００１】
本発明は、画像処理装置に関し、詳細には、原稿読取部を用いて得られた原稿画像データに所定の画像処理を行う画像処理装置に関する。
【背景技術】
【０００２】
一般に、複写機で所定の画像処理、例えば、印刷処理を行いたい場合、複写機に設けられた表示／操作部のソフトキーやハードキーを用い、出力する用紙サイズ、モノクロ／カラーの特定、出力部数などの印刷内容を設定する。また、原稿を原稿台にセットし、表示／操作部のスタートボタンを押し下げると、原稿が原稿読取部に搬送され、原稿の画像が読み取られる。そして、読み取って得られた原稿画像データに基づいて用紙に印刷し、印刷物を複写機の外部に出力する。
【０００３】
ここで、原稿の印刷物を得る度に、表示／操作部のソフトキーやハードキーを用いて印刷内容を設定するのは、ユーザにとって不便である。そこで、例えば、特許文献１〜３には、印刷内容をコード化しておき、コードの読み取りによって印刷内容を設定できる技術が提案されている。
【先行技術文献】
【特許文献】
【０００４】
【特許文献１】特開２００７−１２３９５４号公報
【特許文献２】特開平４−２８１４７４号公報
【特許文献３】特開昭６３−２５４４６８号公報
【発明の概要】
【発明が解決しようとする課題】
【０００５】
しかしながら、特許文献１に記載の技術では、コード及び原稿を読み取った後、用紙への印刷を開始する前に、印刷内容の表示や確認に関する操作が必要である。また、特許文献２，３に記載の技術では、コードを読み取った後、用紙への印刷を開始する前に、原稿を別途読み取る操作を要する。このように、いずれの技術も読み取りと画像処理とを一連の処理として行えず、画像処理を速やかに完了できないという問題がある。
【０００６】
また、特に、コードや原稿を同時期に読み取り可能な特許文献１に記載の技術であっても、コードや原稿の読み取り開始は各画像処理の設定画面で選択される。このため、仮に、画像処理内容の異なる原稿、例えば、カラー印刷が行われる原稿と、モノクロ印刷が行われる原稿とがそれぞれ存在する場合、カラー印刷に関するコードや原稿の読み取りと、モノクロ印刷に関するコードや原稿の読み取りとの少なくとも２回の読み取りを要し、１回の読み取りでは双方の画像処理に対応できない。
【０００７】
本発明は、上述の如き実情に鑑みてなされたもので、読み取りと画像処理とを一連の処理で行える画像処理装置を提供することを目的とする。
【課題を解決するための手段】
【０００８】
上記課題を解決するために、本発明の第１の技術手段は、積層した原稿を搬送させて原稿の画像を読み取り、読み取って得られた原稿画像データに所定の画像処理を行う画像処理装置であって、前記積層した原稿の先頭又は後尾に配され、該原稿の画像処理内容を示す識別情報を付した処理シートと前記原稿を連続して読み取る原稿読取部と、読み取った前記処理シートから前記識別情報を抽出する情報抽出部と、抽出した前記識別情報を解析して前記画像処理内容を取得する処理内容取得部と、取得した前記画像処理内容に従って前記原稿画像データに前記所定の画像処理を行う処理実行部とを備えることを特徴とする画像処理装置である。
【０００９】
第２の技術手段は、第１の技術手段において、前記原稿読取部は、前記原稿の先頭又は後尾に配された処理シートと前記原稿を、複数束連続して読み取ることを特徴とするものである。
【００１０】
第３の技術手段は、第１又は２の技術手段において、前記所定の画像処理は、読み取って得られた前記原稿画像データを用紙に印刷する印刷処理とすることを特徴とするものである。
【００１１】
第４の技術手段は、第１から３のいずれか１の技術手段において、前記所定の画像処理は、読み取って得られた前記原稿画像データを送信する送信処理とすることを特徴とするものである。
【００１２】
第５の技術手段は、第１から４のいずれか１の技術手段において、前記所定の画像処理は、読み取って得られた前記原稿画像データを保存する保存処理とすることを特徴とするものである。
【発明の効果】
【００１３】
本発明によれば、原稿読取部は、画像処理内容を示す識別情報を付した処理シート及び原稿を連続して読み取る。そして、識別情報から画像処理内容が取得されたと判断した場合、原稿画像データに基づいて所定の画像処理が行われるので、原稿読取部での読み取りと原稿画像データへの画像処理とを一連の処理で行うことができ、画像処理を速やかに完了できる。また、処理シートを以後の原稿画像データへの画像処理に利用すれば、画像処理を行う際の設定操作を省略できるため、この点も画像処理の早期完了に寄与する。
【図面の簡単な説明】
【００１４】
【図１】本発明による画像処理装置の構成図である。
【図２】本発明による処理シート作成のフローチャートである。
【図３】本発明による処理シートの説明図である。
【図４】本発明による処理シート及び原稿をセットした図である。
【図５】本発明による画像処理のフローチャートである。
【図６】本発明による処理シートの説明図である。
【図７】本発明による処理シート及び原稿をセットした図である。
【発明を実施するための形態】
【００１５】
以下、図面を参照しながら本発明の画像処理装置について説明する。図１は、本発明による画像処理装置の構成図であり、画像処理装置の一例である複合機１０は、原稿読取部１１、表示／操作部１２、画像処理部１３、印刷部１４、ＨＤＤ１５、通信Ｉ／Ｆ１６、制御部１７を有しており、これらはバス１８を介して接続されている。また、画像処理部１３は、情報抽出部２１、処理内容取得部２２、及び処理実行部２３を有している。
【００１６】
制御部１７は、通信Ｉ／Ｆ１６を介してファクシミリ装置、サーバーやクライアントＰＣ等の外部装置（図示省略）と通信可能に構成されている。通信Ｉ／Ｆ１６は、例えば、ファクシミリ通信部やインターネット用通信部などを備えている。
原稿読取部１１は、その内部にキャリッジ、結像レンズ、ＣＣＤセンサ等（図示省略）を有し、積層状態で原稿台にセットされた原稿が１枚ずつ分離されて所定位置に搬送されると、原稿読取部１１は原稿の画像を光学的に読み取る。読み取って得られた原稿画像データは画像処理部１３に出力される。
【００１７】
表示／操作部１２は、例えば、液晶のディスプレイと透明抵抗膜方式のタッチパネルとからなる操作パネルや、接触接点を用いたハードキーからなる操作キーで構成される。タッチパネルは、例えば、ディスプレイに重ねて形成され、ディスプレイには、複合機１０を操作するためのＧＵＩ（グラフィカルユーザインタフェース）が表示される。
画像処理部１３は、原稿読取部１１で読み取って得られた原稿画像データに種々の処理を行って各画像処理用データを生成する。この生成された画像処理用データが印刷部１４やＨＤＤ１５などに出力される。ＨＤＤ１５は、上記原稿画像データや画像処理用データ等を格納できる。
【００１８】
情報抽出部２１は、後述する処理シートから画像処理内容に関する識別情報を抽出できる。抽出結果は処理内容取得部２２に出力され、処理内容取得部２２は、識別情報を解析して画像処理内容を取得する。取得結果は処理実行部２３に出力されており、処理実行部２３は、取得した画像処理内容に従って原稿画像データに所定の画像処理を行う。
印刷部１４は、給紙、画像形成、転写、定着、排紙等を行って印刷を実行可能に構成され、画像処理部１３からの印刷処理用データを用紙に印刷する。印刷部１４が両面印刷機能を備えている場合には、用紙の片面の他、もう一方の面にも画像処理部１３からの印刷処理用データを印刷できる。なお、印刷部１４は、ユーザがステープルやファイリング用の穴明け等の処理を希望した場合には、後処理装置（図示省略）と連携して動作可能である。
【００１９】
ここで、複合機１０は、複数の画像処理、例えば、画像処理部１３からの印刷処理用データを用紙に印刷する印刷処理のみならず、画像処理部１３からの送信処理用データをファクシミリ通信部やインターネット用通信部等を介して送信する送信処理、画像処理部１３からの保存処理用データをＨＤＤ１５やＵＳＢメモリ（登録商標）に保存する保存処理などを行う機能を有している。
しかし、各画像処理を行う度に、表示／操作部１２のキーを用いて画像処理内容を設定するのはユーザにとって不便であるため、画像処理内容をコード化し、コード付きの処理シートとして予め出力している。
【００２０】
図２は、本発明による処理シート作成のフローチャートである。
例えば、表示／操作部１２にて処理シートの作成モードを選択し（ステップＳ１０１）、処理シートの作成画面を呼び出す。この作成画面で画像処理内容を入力する。詳しくは、印刷処理、送信処理や保存処理などユーザ所望の画像処理を選び、各画像処理の詳細設定、例えば、出力する用紙サイズ、出力部数、モノクロ／カラーの特定、解像度、出力する文書フォーマットなど、各画像処理の詳細設定に該当の条件を入力する（ステップＳ１０２）。
【００２１】
画像処理内容の入力が確定すると、画像処理部１３は、その画像処理内容を示す識別情報（例えば、ＱＲコード（登録商標））の印刷処理用データを作成する（ステップＳ１０３）。なお、識別情報は、情報作成用のソフトウエアを有したクライアントＰＣで作成し、複合機１０に送信してもよい。
続いて、印刷部１４は、作成された識別情報の印刷処理用データを用紙に印刷し、識別情報付きの処理シートが複合機１０から出力される（ステップＳ１０４）。
【００２２】
図３は、本発明による処理シートの説明図である。この処理シート５０は、上述した処理シートの作成画面で印刷処理が選択された、印刷処理用のシートであり、例えば、Ａ４サイズで１枚の用紙の表面５１には、識別情報５２が表示され、併せて出力する用紙サイズ等の識別情報５２に関する印刷処理内容も示されている。
【００２３】
図４は、本発明による処理シート及び原稿をセットした図であり、原稿１００が複数枚（例えば、４枚）で構成される場合、所定の原稿台に積層状態でセットされるが、処理シート５０は、例えば、原稿１００の先頭に配置される。なお、処理シート５０及び原稿１００が本発明の束に相当する。
そして、例えば、表示／操作部１２にて処理シートのスキャンモードが選択された後、表示／操作部１２のスタートボタンを押し下げると、処理シート５０や原稿１００が原稿読取部１１に向けて１枚ずつ搬送され、原稿読取部１１では、処理シート５０、原稿１００の順に画像を読み取る。
【００２４】
図５は、本発明による画像処理のフローチャートである。
上記図３，４の例を用いて説明すると、まず、原稿読取部１１が用紙束、具体的には、処理シート５０及び原稿１００の束を読み取る（ステップＳ２０１）。次いで、画像処理部１３が、例えば、識別情報５２を検出して処理シート５０の存在を判断した場合（ステップＳ２０２のＹＥＳ）、情報抽出部２１は処理シート５０から識別情報５２を抽出し（ステップＳ２０３）、処理内容取得部２２は、抽出した識別情報５２を解析する（ステップＳ２０４）。
【００２５】
この識別情報５２の解析によって、処理内容取得部２２が画像処理内容の取得を判断した場合（ステップＳ２０５のＹＥＳ）、処理実行部２３は、次の束があるか否かを判断する（ステップＳ２０６）。
上記例で言えば、処理シート５０及び原稿１００の１組の束だけであることから（ステップＳ２０６のＹＥＳ）、処理実行部２３は原稿１００の印刷処理用データを生成し、印刷部１４が所定の用紙に印刷する（ステップＳ２０７）。なお、画像処理部１３が処理シート５０の不存在を判断した場合（ステップＳ２０２のＮＯ）、処理シート５０に基づかないデフォルトの画像処理、例えば、表示／操作部１２で設定された印刷等の画像処理を行う（ステップＳ２０８）。
【００２６】
このように、原稿読取部１１は、印刷処理内容を示す識別情報５２を付した処理シート５０及び原稿１００の画像を連続して読み取る。そして、識別情報５２から印刷処理内容が取得されたと判断した後、自動的に原稿画像データに基づいて印刷処理が行われるので、原稿読取部１１での読み取りと原稿画像データへの印刷処理とを一連の処理として行うことができ、印刷処理を速やかに完了できる。
また、処理シート５０は、同じ印刷処理内容に利用可能であり、以後の原稿画像データへの印刷処理に利用すれば、印刷処理を行う際の表示／操作部１２での設定操作を省略できるため、この点も印刷処理の早期完了に寄与する。
【００２７】
図６は、本発明による処理シートの説明図である。図６（Ａ）に示す処理シート５３は、送信処理用のシートである。この処理シート５３も図３に示した処理シート５０と同様に作成され、例えば、Ａ４サイズの用紙の表面５４には、識別情報５５や、その送信処理内容が表示されている。この処理シート５３の場合には、読み取って得られた原稿画像データから送信処理用データを生成し、送信処理用データを電子メールに添付してネットワーク上の指定のクライアントＰＣに送信できる。
【００２８】
なお、処理シートの図示は省略するが、他の送信処理内容として、送信処理用データをクライアントＰＣの共有フォルダに送信する、相手先にファクシミリ送信する、又は、サーバーにアップロードすることもできる。
一方、図６（Ｂ）に示す処理シート５６は、保存処理用のシートであり、例えば、Ａ４サイズの用紙の表面５７には、識別情報５８や、その送信処理内容が表示される。この処理シート５６によれば、読み取って得られた原稿画像データから保存処理用データを生成し、保存処理用データをＨＤＤ１５に保存できる。なお、この処理シートの図示も省略するが、他の保存処理内容として、保存処理用データを、複合機１０のＵＳＢポートに差し込まれたＵＳＢメモリ（登録商標）に保存することもできる。
【００２９】
図７は、本発明による処理シート及び原稿をセットした図である。この例の場合には、上から順に、例えば、２枚の原稿１００、３枚の原稿１０１、４枚の原稿１０２が積層されている。原稿１００の先頭には１枚の処理シート５０が配置され、原稿１００と原稿１０１との間には１枚の処理シート５３が、原稿１０１と原稿１０２との間には１枚の処理シート５６がそれぞれ配置されている。
表示／操作部１２のスタートボタンを押し下げると、原稿読取部１１では３種の用紙束、具体的には、処理シート５０及び原稿１００の束、処理シート５３及び原稿１０１の束、処理シート５６及び原稿１０２の束の順に、計１２枚分の用紙を連続して読み取り、ＨＤＤ１５に適宜格納される。
【００３０】
そして、この図７の場合には、画像処理部１３が、例えば、処理シート５０，５３，５６の存在を判断した場合（図５のステップＳ２０２のＹＥＳ）、まず、情報抽出部２１が処理シート５０から識別情報５２を抽出する（ステップＳ２０３）。その後、処理内容取得部２２が識別情報５２から印刷処理内容の取得を判断した場合（ステップＳ２０５のＹＥＳ）、処理実行部２３は、次の束があるか否かを判断する（ステップＳ２０６）。
【００３１】
ここで、処理シート５０による印刷処理内容は取得されているが、処理シート５３，５６による画像処理内容については未だ取得されていないので、処理実行部２３は、次の束があると判定する（ステップＳ２０６のＮＯ）。
これにより、処理実行部２３は、例えば、ＨＤＤ１５から処理シート５３のデータを呼び出し、情報抽出部２１は処理シート５３から識別情報５５を抽出する（ステップＳ２０３）。
【００３２】
処理内容取得部２２が識別情報５５から送信処理内容の取得を判断すると（ステップＳ２０５のＹＥＳ）、処理シート５６による画像処理内容については未だ取得されていないことから、処理実行部２３は、次の束があると判定する（ステップＳ２０６のＮＯ）。
続いて、処理実行部２３は、ＨＤＤ１５から処理シート５６のデータを呼び出し、情報抽出部２１が処理シート５６から識別情報５８を抽出する（ステップＳ２０３）。
【００３３】
処理内容取得部２２が識別情報５５から送信処理内容の取得を判断した場合（ステップＳ２０５のＹＥＳ）、処理実行部２３は、次の束があるか否かを判断する（ステップＳ２０６）。
この例では、該当する束がないので（ステップＳ２０６のＹＥＳ）、処理実行部２３は、原稿１００の印刷処理用データを生成し、印刷部１４が所定の用紙に印刷する。また、処理実行部２３は、原稿１０１の送信処理用データを生成し、制御部１７が通信Ｉ／Ｆ１６から送信処理用データを電子メールで指定のクライアントＰＣに送信する。さらに、処理実行部２３は、原稿１０２の保存処理用データを生成し、制御部１７が保存処理用データをＨＤＤ１５に保存する（ステップＳ２０７）。
【００３４】
このように、画像処理内容の異なる原稿１００，１０１，１０２を積層しても、各原稿の画像処理内容は処理シート５０，５３，５６からそれぞれ取得できる。この結果、原稿読取部１１による１回の読み取りで各原稿への画像処理に対応できる。
なお、上記実施例では、処理シートを原稿の先頭に配置した例で説明した。しかし、表示／操作部１２にて処理シートのスキャンモードを選択してから読み取れば、処理シートは原稿の後尾に配置してもよい。
【００３５】
また、上記実施例では、処理シート５０及び原稿１００の束、処理シート５３及び原稿１０１の束、処理シート５６及び原稿１０２の束を全て読み取り、次いで、識別情報５２，５５，５８からの画像処理内容を全て取得した後、各画像処理に移行しているが、例えば、識別情報５５からの画像処理内容を取得している間に、識別情報５２から得た画像処理に移行してもよい。あるいは、スタートボタンの１回押し下げに続いて、まず、処理シート５０及び原稿１００の束を読み取り、識別情報５２から画像処理内容を取得して印刷処理を行い、次に、処理シート５３及び原稿１０１の束を読み取り、識別情報５５から画像処理内容を取得して送信処理を行い、その後、処理シート５６及び原稿１０２の束を読み取り、識別情報５８から画像処理内容を取得して保存処理を行ってもよい。そして、これらいずれの場合にも上記と同様に、読み取りと画像処理とを一連の処理として行うことができる。
【符号の説明】
【００３６】
１０…複合機、１１…原稿読取部、１２…表示／操作部、１３…画像処理部、１４…印刷部、１５…ＨＤＤ、１６…通信Ｉ／Ｆ、１７…制御部、１８…バス、２１…情報抽出部、２２…処理内容取得部、２３…処理実行部、５０，５３，５６…処理シート、５１，５４，５７…表面、５２，５５，５８…識別情報、１００，１０１，１０２…原稿。
【図１】
2014017682.tif 000003
【図２】
2014017682.tif 000004
【図３】
2014017682.tif 000005
【図４】
2014017682.tif 000006
【図５】
2014017682.tif 000007
【図６】
2014017682.tif 000008
【図７】
2014017682.tif 000009